(57)【要約】【課題】小銭入れから簡便にコインを出し入れすることが可能であり、また小銭が簡単に落下しないようにすると共に、携帯が便利である小銭入れの開発を課題とする。【解決手段】  中央部が膨らんだ空間部を有する、側面から見てほぼ円形の革製小銭入れであって、該小銭入れは側面から見て、半円よりもやや小さい欠損部を持つ二重壁構造の外革と内革からなり、内革の径は外革の径よりも小さく、内革と外革の側面にそれぞれねじ孔を備え、これらのねじ孔に１個のバンドねじが差し込まれており、このバンドねじを中心に内革は外革の内部で回転する構造を備え、内革の回転方向の外革の一端に帯状の吊革が固定されており、この吊革の下面に第一ホックを、回転方向の内革の上面に第二ホックを備え、外革の内部で内革を回転させて外革の上面空間部を閉鎖し、前記第一ホックと第二ホックとにより、開閉可能に固着することを特徴とする革製小銭入れ。【選択図】      図１
2010131283.tif 000002
【特許請求の範囲】
【請求項１】
中央部が膨らんだ空間部を有する、側面から見てほぼ円形の革製小銭入れであって、該小銭入れは側面から見て、半円よりもやや小さい欠損部を持つ二重壁構造の外革と内革からなり、内革の径は外革の径よりも小さく、内革と外革の側面にそれぞれねじ孔を備え、これらのねじ孔にそれぞれ１個のバンドねじが差し込まれており、このバンドねじを中心に内革は外革の内部で回転する構造を備え、内革の回転方向の外革の一端に帯状の吊革が固定されており、この吊革の下面に第一ホックを、回転方向の内革の上面に第二ホックを備え、外革の内部で内革を回転させて外革の上面空間部を閉鎖し、前記第一ホックと第二ホックとにより、開閉可能に固着することを特徴とする革製小銭入れ。
【請求項２】
外革の一端に固定された帯状の吊革に、ナスカンが固定されていることを特徴とする請求項１記載の革製小銭入れ。
【請求項３】
二重壁構造の外革と内革は、それぞれ一枚革から構成されていることを特徴とする請求項１又は２記載の革製小銭入れ。
【請求項４】
外革の一端に固定された帯状の吊革は、二枚重ね又は二つ折にされた帯状の吊革であることを特徴とする請求項１〜３のいずれかに記載の革製小銭入れ。
【請求項５】
第二ホックを設けた内革の外面を平坦にすることを特徴とする請求項１〜４のいずれかに記載の革製小銭入れ。
【発明の詳細な説明】
【技術分野】
【０００１】
本発明は、外革の中で内革が回転して開放及び閉鎖する、中央部が膨らんだ空間部を有する、側面から見てほぼ円形の革製小銭入に関する。
【背景技術】
【０００２】
近年、男性用あるいは女性用の持ち物としてとして、さまざまな趣向を凝らした財布や小銭入れが考案されているが、このような財布を大きく分けると、テレホンカードやキャッシュカード等のカード入れを兼用した札（紙幣）入れとコイン等の小銭や鍵等の小物を入れて所持できる小銭入れからなる。
貨幣の多くは紙幣であり、その出し入れに対して面倒となることがなく、財布（札入れ）に関する種類は豊富である。しかし、小銭入れは硬さやサイズが異なり、また貨幣の価値に比べると重くなるという欠点がある。
【０００３】
また、一般に小銭入れからのコインの出し入れが面倒であり、ジュースを自動販売機で購入する場合など、コインが落下することなどの問題があるので、チャックで開放閉鎖する形態が多く、また奇抜なアイデアもあるが、実用的でないという問題がある（特許文献１参照）。このため、小銭入れに対する工夫は余りされていないのが現状である。
このようなことから、小銭入れから、より簡便にコインを出し入れしたいという欲求と、それが落下しないようにしたいという欲求は当然生ずる。しかしながら、このような欲求に答える小銭入れは存在していなかった。
【特許文献１】実用新案出願公開平３−１１６１０８号公報
【発明の開示】
【発明が解決しようとする課題】
【０００４】
本発明は、小銭入れから簡便にコインを出し入れすることが可能であり、また小銭が簡単に落下しないようにすると共に、携帯が便利である小銭入れの開発を課題とする。
【課題を解決するための手段】
【０００５】
本発明は、
１）中央部が膨らんだ空間部を有する、側面から見てほぼ円形の革製小銭入れであって、該小銭入れは側面から見て、半円よりもやや小さい欠損部を持つ二重壁構造の外革と内革からなり、内革の径は外革の径よりも小さく、内革と外革の側面にそれぞれねじ孔を備え、これらのねじ孔にそれぞれ１個のバンドねじが差し込まれており、このバンドねじを中心に内革は外革の内部で回転する構造を備え、内革の回転方向の外革の一端に帯状の吊革が固定されており、この吊革の下面に第一ホックを、回転方向の内革の上面に第二ホックを備え、外革の内部で内革を回転させて外革の上面空間部を閉鎖し、前記第一ホックと第二ホックとにより、開閉可能に固着することを特徴とする革製小銭入れ。
２）外革の一端に固定された帯状の吊革に、ナスカンが固定されていることを特徴とする上記１）記載の革製小銭入れ
３）二重壁構造の外革と内革は、それぞれ一枚革から構成されていることを特徴とする上記１）又は２）記載の革製小銭入れ
４）外革の一端に固定された帯状の吊革は、二枚重ね又は二つ折にされた帯状の吊革であることを特徴とする上記１）〜３）のいずれかに記載の革製小銭入れ。
５）第二ホックを設けた内革の外面を平坦にすることを特徴とする上記１）〜４）のいずれかに記載の革製小銭入れ、を提供するものである。
【発明の効果】
【０００６】
本発明は、小銭入れから簡便にコインを出し入れすることが可能であり、また小銭が簡単に落下しないようにすると共に、携帯が便利である小銭入れを得ることができるという優れた効果を有する。
【発明を実施するための最良の形態】
【０００７】
次に、本発明を図面に基づいて説明する。なお、以下の図面は好適な一つの例を示すものであり、したがってこの例のみに制限されるものではない。すなわち、本願は本発明の技術思想に含まれる他の図、態様及び変形の全て包含するものである。
図１及び図２は、本発明の一例を示す革製小銭入れの全体構造を示す説明図である。この革製小銭入れは、中央部が膨らんだ空間部を有する。この形は正確ではないが、およそ蛤（はまぐり）の形をしている。図１は革製の小銭入れの口を閉鎖した状態を示し、図２は革製の小銭入れの口を開放した状態を示している。
【０００８】
さらに、図３は革製小銭入れの二重壁構造の外革１と内革２を組み立てる前の様子を示す説明図である。これによって、本発明の小銭入れの構造が容易に把握できる。
この図１、図２から明らかなように、この革製の小銭入れを側面から見るとほぼ円形を呈している。必ずしも完全な円形にする必要はなく、楕円形でも良いが、小銭いれの安定性、携帯性、開閉の容易さからみて、ほぼ円形とすることが好ましい。
さらに、小銭入れは側面から見て、半円よりもやや小さい欠損部（切り欠き部）を持つ二重壁構造の外革１と内革２からなる。他の表現を借りて表現すると、外革１及び内革２は、ほぼ反割りの形状よりも少し大き目の割り型の２重革構造となっている。
【０００９】
外革１及び内革２の双方は、近似した形状を有するが、内革２の径は外革１の径よりも小さく、外革１の中で内革２が回転できるようになっている。
二重壁を持つ内革２と外革１の側面に、それぞれねじ孔３を備えている。そして、これらのねじ孔３にそれぞれ１個のバンドねじ４が差し込まれている（合計２個のバンドねじ）。すなわち、内革２と外革１の側面のそれぞれの壁ごとにバンドねじがあり、そしてこのバンドねじを中心に外革１の中で内革２が回転する構造となっている。
【００１０】
内革２の回転方向の外革の一端に帯状の吊革５が、カシメ６により固定されている。そして、この吊革５の下面に第一ホック７を、回転方向の内革の上面に第二ホック８を備える。図１のように、外革１の内部で内革２を回転させて外革の上面空間部を閉鎖してホック止めを行う。また、開放する場合には、前記第一ホック７と第二ホック８を外し、外革１の内部で内革２を回転させて外革の上面空間部を開放する。これにより、小銭入れからコインを容易に取り出すことができる。
【００１１】
この第一ホック７と第二ホック８は、いずれかをメスホックに他方をオスホックにする。一般には第二ホック８をオスホックとする。
本発明の小銭入れは、さらに前記外革１の一端に固定された帯状の吊革５に、ナスカン９を固定することができる。
図４は、ナスカン９を固定した小銭入れの様子を示す図である。これにさらにチェーンを取り付けることもできる（図示しない）。このナスカン９に替えて、革紐を取り付けることもできる。また、吊革５に直接、チェーンや革紐を取り付けることもできる。これは任意である。
【００１２】
本発明においては、２重壁構造の外革１と内革２を、それぞれ一枚革から作製することが可能である。外革１については、図１〜図３から理解できるように、カシメ部分で２重壁構造の外革１が連絡（連結）している構造となっている。他の接合部はステッチ１０（縫製部）である。また、２重壁構造の内革２は、第二ホック８の部分で、２重壁構造の内革２が連絡（連結）している構造となっている。
【００１３】
この形態は、製作時にある程度形状を予想して形状を設計することが必要となる。しかし、一旦小銭入れのサイズが決定されれば、同一形状に型取りすることが可能となる。これらの連結構造（原皮からの１枚取り）は構造が丈夫であるという利点があり、製造上好ましいと言える。しかし、２重壁構造の外革１及び内革２を全て縫製により仕上げることも可能である。本願発明はこれらを包含する。
【００１４】
また、本願発明においては、外革１の一端に固定された帯状の吊革５を、二枚重ね又は二つ折にされた帯状の吊革とすることも可能である。勿論一枚でも良いが、二枚重ね又は二つ折にされた帯状の吊革とすれば、丈夫になり長持ちする。また、特に二つ折にされた帯状の吊革５の輪の部分は、ナスカン９を結合する部分となるので好都合である。
さらに、第二ホック８を設けた内革２の外面を平坦にすることができる。図３に平坦部１１を示す。これは、ホックによる固定、開放が容易にできるようにするためである。これは好適な機能を持つ構造であるが、必ずしもこの形状とする必要はない。
【００１５】
本発明の小銭入れの材料は、特に制限されるものではなく動物の皮革、合成皮革、樹脂その他、従来財布の材料として使用されてきた材料を使用することができる。しかし、小銭入れの品質や組み合わせた場合の互いの保持力からみて、動物の皮革が特に有効である。
【産業上の利用可能性】
【００１６】
以上、本発明は小銭入れから簡便にコインを出し入れすることが可能であり、また小銭が簡単に落下しないようにすると共に、携帯が便利である小銭入れを得ることができるという優れた効果を有するので、携帯用の小銭入れとして極めて有用である。
【図面の簡単な説明】
【００１７】
【図１】革製の小銭入れの口を閉鎖した状態を示す革製小銭入れの全体構造を示す説明図である。
【図２】革製の小銭入れの口を開放した状態を示す革製小銭入れの全体構造を示す説明図である。
【図３】革製小銭入れの二重壁構造の外革１と内革２を組み立てる前の様子を示す説明図である。
【図４】ナスカン９を固定した小銭入れの様子を示す図である。
【符号の説明】
【００１８】
１：外革
２：内革
３：ねじ孔
４：バンドねじ
５：吊革
６：カシメ
７：第一ホック
８：第二ホック
９：ナスカン
１０：ステッチ
１１：平坦部
【図１】
2010131283.tif 000003
【図２】
2010131283.tif 000004
【図３】
2010131283.tif 000005
【図４】
2010131283.tif 000006